(57)【要約】【課題】遮断器のハンドル操作を妨げす、遠隔からの引外し操作を容易にできるワイヤ式引外し装置を備えた回路遮断器を得る。【解決手段】電路を開閉する開閉接点と、この開閉接点を開放するトリップバー６を有する回路遮断器に組み込まれ、外部に設けた操作部から駆動ワイヤ９を介してトリップバー６を操作するワイヤ式引外し装置を備えた回路遮断器であって、ワイヤ式引外し装置７は、トリップバー６を作動させる引外しレバー１４及び引外しレバー１４に駆動力を伝達する内部アクチュエータ１３を有する本体組込み部８と、駆動ワイヤ９に駆動されて回動する回動板２１を有する伝達機構とを備え、駆動ワイヤ９の駆動力により内部アクチュエータ１３を介し引外しレバー１４を駆動してトリップバー６を作動させるようにした。【選択図】図１
2013140743.tif 000002
【特許請求の範囲】
【請求項１】
電路を開閉する開閉接点及びこの開閉接点を開放するトリップバーを有する回路遮断器に組み込まれ、外部に設けた操作部から駆動ワイヤを介して前記トリップバーを操作するワイヤ式引外し装置を備えた回路遮断器において、
前記ワイヤ式引外し装置は、前記トリップバーを作動させる引外しレバー及び前記引外しレバーに駆動力を伝達する内部アクチュエータを有し前記回路遮断器の筐体内に収容された本体組込み部と、前記駆動ワイヤの駆動力を前記内部アクチュエータに伝達する伝達機構とを備え、
前記駆動ワイヤの駆動力により前記内部アクチュエータを介し前記引外しレバーを駆動して前記トリップバーを作動させるように構成したことを特徴とするワイヤ式引外し装置を備えた回路遮断器。
【請求項２】
請求項１記載のワイヤ式引外し装置を備えた回路遮断器において、
前記伝達機構は、前記回路遮断器の筐体の側面に取り付けられたワイヤ取付台と、前記ワイヤ取付台に取り付けられた前記駆動ワイヤの先端部に接続されて前記駆動ワイヤの伸縮動作により回動する回動板とを有しており、
前記回動板の回動により前記内部アクチュエータに駆動力を伝達するようにしたことを特徴とするワイヤ式引外し装置を備えた回路遮断器。
【請求項３】
請求項１記載のワイヤ式引外し装置を備えた回路遮断器において、
前記伝達機構は、前記駆動ワイヤの先端部に設けられたビレットと、前記本体組込み部の内部に形成されて前記ビレットが摺動する円弧状に湾曲したガイド溝と、前記ビレットと前記内部アクチュエータを連結する連結部材とを有しており、
前記駆動ワイヤの伸縮動作を前記ビレット及び前記連結部材を介して前記内部アクチュエータに伝達するようにしたことを特徴とするワイヤ式引外し装置を備えた回路遮断器。
【請求項４】
請求項１〜請求項３のいずれか１項に記載のワイヤ式引外し装置を備えた回路遮断器において、
前記駆動ワイヤが切断された場合、前記引外しレバーを前記トリップバーの作動方向に駆動した状態を保持するためのばねが設けられていることを特徴とするワイヤ式引外し装置を備えた回路遮断器。
【請求項５】
請求項１〜請求項４のいずれか１項に記載のワイヤ式引外し装置を備えた回路遮断器において、
前記操作部は、引外し状態であるオンとその反対のオフとに、前記駆動ワイヤを駆動して切り替えるスイッチを有し、前記スイッチに前記オンの状態を保持するロック機能を備えたことを特徴とするワイヤ式引外し装置を備えた回路遮断器。
【発明の詳細な説明】
【技術分野】
【０００１】
この発明は、配線用遮断器や漏電遮断器等の回路遮断器に関し、詳しくは、開閉接点を遠隔から引外すためのワイヤ式引外し装置を備えた回路遮断器に関するものである。
【背景技術】
【０００２】
配線用遮断器または漏電遮断器等の回路遮断器において、その開閉接点を遠隔から引外すための従来の装置として、遮断器本体ケースの前面に取付けた固定ベースと、遮断器のハンドルに嵌合して前記固定ベースに案内支持したスライダーと、一端をスライダーに結合し他端を遠隔操作部に結合した操作ワイヤとを有し、遠隔操作部からワイヤ操作によりオン,オフ,リセット位置にハンドルを駆動するように構成された回路遮断器のワイヤ式外部操作装置が知られている（例えば、特許文献１参照）。
【先行技術文献】
【特許文献】
【０００３】
【特許文献１】特開２００６−３３１９６１号公報（第４頁、図１）
【発明の概要】
【発明が解決しようとする課題】
【０００４】
特許文献１に示すような従来の遮断器のワイヤ式外部操作装置は、遮断器外部の前面に取付ける構造となっており、遮断器のハンドル部が操作装置に覆われているため、遮断器の前面に他の外部付属装置を取付けたい場合には取付けることができないという問題点があった。
また、遮断器のハンドルを操作することで遮断器を引き外すため、引外し時には遮断器本体機構部の大きなばね荷重を受けることとなり、引外しの操作荷重が大きくなり、そのため、操作装置の構成も相応に大きくなるという問題点があった。
更に、オン，オフ，リセット操作を全て外部操作装置で行っているので、外部操作装置を操作しなければ、通常のオン，オフ操作ができず、トリップ操作のみを外部から行うような用途には適さないという問題点があった。
【０００５】
この発明は、上記のような問題点を解決するためになされたもので、小形かつ軽量で、遮断器のハンドル操作を妨げないワイヤ式引外し装置を備えた回路遮断器を提供することを目的とする。
【課題を解決するための手段】
【０００６】
この発明に係るワイヤ式引外し装置を備えた回路遮断器は、電路を開閉する開閉接点及びこの開閉接点を開放するトリップバーを有する回路遮断器に組み込まれ、外部に設けた操作部から駆動ワイヤを介してトリップバーを操作するワイヤ式引外し装置を備えた回路遮断器において、ワイヤ式引外し装置は、トリップバーを作動させる引外しレバー及び引外しレバーに駆動力を伝達する内部アクチュエータを有し回路遮断器の筐体内に収容された本体組込み部と、駆動ワイヤの駆動力を内部アクチュエータに伝達する伝達機構とを備え、駆動ワイヤの駆動力により内部アクチュエータを介し引外しレバーを駆動してトリップバーを作動させるように構成したものである。
【発明の効果】
【０００７】
この発明のワイヤ式引外し装置を備えた回路遮断器によれば、ワイヤ式引外し装置は、トリップバーを作動させる引外しレバー及び引外しレバーに駆動力を伝達する内部アクチュエータを有する本体組込み部と、駆動ワイヤの駆動力を内部アクチュエータに伝達する伝達機構とを備え、駆動ワイヤの駆動力により内部アクチュエータを介し引外しレバーを駆動してトリップバーを作動させるようにしたので、回路遮断器の前面側の操作ハンドル部が引外し装置に邪魔されることがないため、遠隔操作と直接操作の双方の操作が可能となる。また、他の外部付属品を取り付ける場合の自由度が増す。
更に、操作ハンドルを直接引き外すような構成と比較して操作荷重が小さくてすむので、小形で軽量な構成のワイヤ式引外し装置を備えた回路遮断器を得ることができる。
【図面の簡単な説明】
【０００８】
【図１】この発明の実施の形態１によるワイヤ式引外し装置を備えた回路遮断器を示す正面図である。
【図２】図１の一部断面を示した側面図である。
【図３】図１の回路遮断器のワイヤ式引外し装置の本体組込み部を示す図で、（ａ）は側面図、（ｂ）は正面図である。
【図４】図３の本体組込み部の内部に収容される構成部品を示す分解斜視図である。
【図５】図１の回路遮断器のワイヤ式引外し装置のワイヤ取付台部を示す分解斜視図である。
【図６】図１の回路遮断器の駆動ワイヤに接続される操作部を示す正面図である。
【図７】図１の回路遮断器の引外し装置の動作を説明する図で、（ａ）はＯＦＦ時を示し（ｂ）はＯＮ時を示す図である。
【図８】この発明の実施の形態２によるワイヤ式引外し装置を備えた回路遮断器を示す図で、（ａ）は正面図、（ｂ）は側面図である。
【図９】図８の回路遮断器のワイヤ式引外し装置の内部を説明する図で、（ａ）（ｂ）はＯＦＦ時を示し、（ｃ）（ｄ）はＯＮ時を示す側面図と正面図である。
【図１０】図８の回路遮断器の引外し装置の構成部品を示す分解斜視図である。
【図１１】図１０の筐体の内部に収容される構成部品の分解斜視図である。
【発明を実施するための形態】
【０００９】
実施の形態１．
図１は、この発明の実施の形態１によるワイヤ式引外し装置を備えた回路遮断器を示す正面図であり、図２は図１の側面図である。まず、図１及び図２により回路遮断器の全体から説明する。
回路遮断器１は、モールドにより成形された下カバー２，上カバー３，及びベース４からなる筐体内に、電路を開閉する開閉接点（図示せず）及び操作ハンドル５を備えた開閉機構部と、過電流を検出し開閉接点を開放するトリップバー６を備えた引外し検出部とが内蔵されて構成されており、回路遮断器の開閉操作は操作ハンドル５の操作により行われる。開閉機構部，引外し検出部の細部は、一般的に知られた構成を採用しており、本願発明の主要部ではないので、詳細な説明は省略する。本実施の形態の回路遮断器１には、更に、外部から操作可能なワイヤ式引外し装置７が備えられて構成されている。
【００１０】
ワイヤ式引外し装置７は、トリップバー６を動作させるための引外しレバー１４及び引外しレバー１４に駆動力を伝達する内部アクチュエータ１３を備えた本体組込み部８と、後述する操作部２８から遠隔操作により駆動される駆動ワイヤ９と、駆動ワイヤ９の先端側機構部が収容され、駆動ワイヤの駆動力を内部アクチュエータに伝達する伝達機構部であるワイヤ取付台部１０とで構成されている。
本体組込み部８は、下カバー２に設けられた内部付属取付枠（図示せず）に組み込まれている。また、ワイヤ取付台部１０は、下カバー２の側面に形成した取付台挿入溝（図示せず）にさし込こんで組み込まれており、上カバー３を閉じることによりワイヤ式引外し装置７は固定されている。以下、ワイヤ式引外し装置７を構成する各部を更に詳しく説明する。
【００１１】
図３は、本体組込み部８の詳細図であり、（ａ）は側面図、（ｂ）は正面図である。ここで、（ａ）の側面図は、図１（ｂ）の側面図の反対方向（裏面側）から見た図を示している。
図のように、本体組込み部８は、下カバー２の内部に固定するためのスナップフィット部１１ａが設けられて一面側が開口したケース１１と、ケース１１の開口側を塞ぐカバー１２とにより筐体が構成され、その筐体内に、内部アクチュエータ１３と引外しレバー１４が組み込まれた固定枠部が収容されて固定されている。
なお、（ａ）の側面図は、カバー１２を外して内部が見える状態を示しており、（ｂ）の正面図も前面側の一部の部品を省略して示しており、下側にある部品が見えている。
【００１２】
図４は、本体組込み部８に組み込まれる固定枠部の詳細を示す分解斜視図である。固定枠部は、コの字状に形成された固定枠１５と、その開放端側に組み合わされた支持板１６とで枠組みが構成され、支持板１６には、中央部に内部アクチュエータ１３を摺動自在に保持するための保持部１６ａを有し、また、引外しレバー１４の回動軸となる軸ピン１７を通すための軸穴が形成された腕部１６ｂを備えている。
引外しレバー１４は、軸ピン１７により支持板１６の腕部１６ａに回動自在に組み込まれ、更に、軸ピン１７には、コイルばね１８が挿通されており、このコイルばね１８は、図４の方向に見たとき、引外しレバー１４に時計回りに回動する力を付与する役目をする。また、内部アクチュエータ１３は、図３中に矢印で示すように、支持板１６の保持部１６ａを貫通し摺動可能となっており、一端が引外しレバー１４の一端に設けた溝に係合しているので、内部アクチュエータ１３の動きに連動して引外しレバー１４が軸ピン１７を中心に回動するようになっている。
【００１３】
図５は、ワイヤ取付台部１０の詳細を示す分解斜視図であり、（ａ）は完全に分解した状態を示し、（ｂ）は組立途中を示している。（ａ）に示すように、矩形の箱状をした取付台ベース１９には、長手方向の側面側に、遮断器筐体の下カバー２に形成した溝に挿入するための固定部１９ａを有し、固定部１９ａの切欠窓の下辺には、取付台アクチュエータ２０及び回動板２１の回動軸２２と支柱２３とを挿入して固定する固定穴が設けられている。また、長手方向の一方には、駆動ワイヤ９を保持するためのＵ字溝１９ｂが設けられている。
【００１４】
駆動ワイヤ９は、外皮とその外皮の内部に摺動可能に設けられたワイヤ本体とからなっている。駆動ワイヤ９の先端部は、所定の長さだけワイヤ本体を露出させ、露出部にばね２４を挿入し、先端を取付台アクチュエータ２０の穴に通して止金２５で固定する。取付台アクチュエータ２０と回動板２１とはそれぞれ回動軸２２に挿通されて固定され、回動軸２２と一体で回動するようになっている。
【００１５】
図５（ｂ）に示すように、駆動ワイヤ９の先端部と一体になった取付台アクチュエータ２０及び回動板２１の回動軸２２と２本の支柱２３とを取付台ベース１９に組み込み、その上方から、これら部品の分解を防ぎ上部を固定して回動軸２２を支えるための支柱受２６を取り付ける。更に、カバー２７により取付台ベース１９が閉じられてワイヤ取付台部１０の組立が完成する。カバー２７の裏面には、取付台ベース１９のＵ溝１９ｂの対向位置に同形状の溝が形成されており、これらの溝で駆動ワイヤ９の外皮を挟んで固定するようになっている。
これにより、駆動ワイヤ９が駆動されると、直動する駆動ワイヤ９の駆動力が回転運動に変換されて、回動板２１が回動され、この回動力を、先に説明した本体組込み部８の内部アクチュエータ１３に伝達するようになっている。
【００１６】
図６は、駆動ワイヤ９の他端側に設けられる操作部２８である。（ａ）（ｂ）は外観を示し、（ｃ）（ｄ）は内部の接続状態を示している。図に示すように、例えば回転式のス
イッチ２９を有しており、このスイッチ２９に駆動ワイヤ９の他端側が接続されている。ワイヤ引外し装置７を動作させたいときには、スイッチ２９をＯＮ位置にすることで駆動ワイヤ９の張力を弱め、動作させないときはＯＦＦ位置とし駆動ワイヤ９の張力を強める。また、ＯＮ位置でスイッチ２９を押し込むことで、回路遮断器を投入できないようにロックできるロック機能を設けている。
【００１７】
次に図７により動作について説明する。
引外し装置を動作させない通常時、すなわち不動作時は、図６のスイッチ２９はＯＦＦの位置にあり、図７（ａ）に示すように、ワイヤ式引外し装置７側において、駆動ワイヤ９は電源側に引っ張られており、ばね２４が縮んで張力がかかった状態となっている。この位置では、回動軸２２に固定された回動板２１は、内部アクチュエータ１３を回路遮断器の負荷側方向に押し込んだまま保持されており、引外しレバー１４は回路遮断器を引外すためのトリップバー６に接触することがなく、装置は動作しない（図３も参照）。
【００１８】
動作時は、図６に示す操作部２８のスイッチ２９をＯＮの位置に切り替える。これにより図７（ｂ）に示すように、ワイヤ式引外し装置７側において駆動ワイヤ９は伸びた状態となる。駆動ワイヤ９が伸びると、取付台アクチュエータ２０が押され、回動軸２２を中心に回動し、回動板２１が内部アクチュエータ１３から離れる。図３で説明したように、引外しレバー１４はコイルばね１８のばね荷重により、トリップバー６を押し下げる方向に駆動力がかかっているので、内部アクチュエータ１３への押圧力が無くなると、引外しレバー１４が軸ピン１７を軸としてトリップバー６を押す方向に回動し、トリップバー６が押されて倒れることで回路遮断器がトリップする。
【００１９】
このとき、操作部２８のスイッチ２９を押し込んでＯＮ状態をロックすると、トリップバー６は回路遮断器内において倒れたままの状態を維持し、遮断器の操作ハンドル５を操作しても投入することができず、遠隔から回路遮断器をロックすることが可能となる。
【００２０】
さらに、万が一駆動ワイヤ９のワイヤ本体が切断された場合は、取付台ベース１９のＵ溝１９ｂ部と取付台アクチュエータ２０との間に加わっていたばね２４の伸び力が働くため、動作時同様の動きとなり、遮断器は自動的にトリップされる。
【００２１】
以上のように、実施の形態１のワイヤ式引外し装置を備えた回路遮断器によれば、ワイヤ式引外し装置は、トリップバーを作動させる引外しレバー及び引外しレバーに駆動力を伝達する内部アクチュエータを有し回路遮断器の筐体内に収容された本体組込み部と、駆動ワイヤの駆動力を内部アクチュエータに伝達する伝達機構とを備え、駆動ワイヤの駆動力により内部アクチュエータを介し引外しレバーを駆動してトリップバーを作動させるように構成したので、回路遮断器の前面側が引外し装置により覆われていないため、遠隔・直接操作の双方の操作が可能となる。また、他の外部付属品を取り付ける場合の自由度が増す。
更に、操作ハンドルを直接引き外すような構成と比較して、遮断器内部のトリップバーを動作させるために操作荷重小さくてすむので装置部を小形化でき、小形で軽量な構成のワイヤ式引外し装置を備えた回路遮断器を得ることができる。
【００２２】
また、伝達機構は、回路遮断器の筐体の側面に取り付けられたワイヤ取付台と、ワイヤ取付台に取り付けられた駆動ワイヤの先端部に接続されて駆動ワイヤの伸縮動作により回動する回動板とを有しており、回動板の回動により内部アクチュエータに駆動力を伝達するようにしたので、駆動ワイヤを遮断器の上部側又は下部側より引き込むことができるため、複数の回路遮断器を横方向に密着させて設置することが可能となる。
【００２３】
また、駆動ワイヤが切断された場合、引外しレバーをトリップバーの作動方向に駆動し
た状態を保持するためのばねが設けられているので、万一駆動ワイヤが切断された場合でも、ばね荷重により自動的に回路遮断器をトリップさせることができる。
【００２４】
更にまた、操作部は、引外し状態であるオンとその反対のオフとに、駆動ワイヤを駆動して切り替えるスイッチを有し、スイッチにオンの状態を保持するロック機能を備えたので、トリップバーの動作状態をロッすることが可能となり、安全性に優れた回路遮断器を得ることができる。
【００２５】
実施の形態２．
図８は、この発明の実施の形態２によるワイヤ式引外し装置を備えた回路遮断器を示す正面図（ａ）と側面図（ｂ）である。図９は、図８のワイヤ式引外し装置の内部構造を示す図で、（ａ）及び（ｂ）はＯＦＦ時の状態を示す側面図と正面図、（ｃ）及び（ｄ）はＯＮ時の状態を示す側面図と正面図である。また、図１０は図９のワイヤ式引外し装置の本体組込み部を示す分解斜視図、図１１は図１０の内部収容部品の詳細を示す分解斜視図である。以下の説明において、実施の形態１の図１〜図４と同等部分は同一符号で示して詳細な説明は省略する。
【００２６】
図８に示すように、回路遮断器１に内蔵された本実施の形態のワイヤ式引外し装置３１は、実施の形態１で説明した本体組込み部８に相当する本体組込み部３２に、駆動ワイヤの駆動力を内部アクチュエータ１３に伝達する伝達機構部が組み込まれている点が実施の形態１との相違点なので、その相違点を中心に説明する。
図９に示すように、ワイヤ引外し装置３１の本体組込み部３２は、内部アクチュエータ１３及びトリップバー６を動作させるための引外しレバー１４を備えた固定枠部を有し、この内部に、駆動ワイヤ３３の先端に設けられたビレット３５が摺動可能に設けられ、ビレット３５と内部アクチュエータ１３が連結部材３６で連結された伝達機構部が組み込まれている。
駆動ワイヤ３３の他端側に設ける操作部は実施の形態１の図６に示す操作部２８と同等である。
【００２７】
次に、図１０，１１により本体組込み部３２の内蔵部品を説明する。本体組込み部３２は、下カバー２に固定するためのスナップフィット部１１ａが設けられたケース１１とカバー１２により筐体が構成され、その筐体内に、コの字状の固定枠１５と、その開放端側に組み合わされた支持板１６と、支持板１６の腕部１６ｂに軸ピン１７により回動自在の固定された引外しレバー１４と、軸ピン１７に挿通され引外しレバー１４に一定方向の荷重を付与するコイルばね１８と、引外しレバー１４の一端と係合して駆動力を伝達する内部アクチュエータ１３とを有しており、ここまでは実施の形態１とほぼ同様である。本実施の形態では、更に、駆動ワイヤ３３の先端側を案内する案内溝３４ａを備えた案内部材３４が収容されている。
【００２８】
図１１は、図１０の固定枠部の分解斜視図である。図に示すように、案内部材３４に設ける案内溝３４ａは、先端側が支持板１６の保持部１６ａから遠ざかる方向に円弧状に湾曲して形成され、駆動ワイヤ３３の先端部に設けられた円筒状のビレット３５が摺動可能となっている。
全体が組み合わされると図９のようになる。駆動ワイヤ３３の先端部のワイヤ本体が露出した部分には、ばね３７が挿入されている。ビレット３５と内部アクチュエータ１３とを連結する連結部材３６は、例えば柔軟なワイヤで構成されている。
【００２９】
次に図９により動作について説明する。
引外し装置を動作させない通常時、すなわち不動作時は、図９（ａ）（ｂ）に示すように、図６と同様の操作部２８のスイッチ２９のＯＦＦ操作により、ワイヤ式引外し装置３
１側において駆動ワイヤ３３は引っ張られてばね３７の張力がかかり縮んだ状態となっている。この位置では連結部材３６に張力がかからないようにしているので、引外しレバー１４を動作させるための内部アクチュエータ１３に対して駆動力は作用しない。従って、引外しレバー１４はトリップバー６とは接触していない。
【００３０】
動作時は、操作部２８のスイッチ２９をＯＮにすると、図９（ｃ）（ｄ）に示すように、ワイヤ式引外し装置３１側において駆動ワイヤ３３は伸びた状態となる。駆動ワイヤ３３が伸びると、ビレット３５が案内部材３４の案内溝３４ａを滑ることで、連結部材３６に張力が発生し、連結部材３６を介して内部アクチュエータ１３が引っ張られるため、引外しレバー１４が（ｃ）に示すように回動し、遮断器内部のトリップバー６が押し倒されて、回路遮断器１はトリップする。
【００３１】
このとき、操作部２８でこの状態をロックすることで、実施の形態１同様に回路遮断器の操作をロックすることができる。
さらに、万が一駆動ワイヤ３３のワイヤ本体が切断された場合は、ばね３７の伸力がはたらき、ビレット３５は（ｄ）のように動作し、動作時同様の動きとなるため、回路遮断器は自動でトリップされる。
【００３２】
以上のように、実施の形態２のワイヤ式引外し装置を備えた回路遮断器によれば、駆動ワイヤの駆動力を内部アクチュエータに伝達する伝達機構は、駆動ワイヤの先端部に設けられたビレットと、本体組込み部の内部に形成されてビレットが摺動する円弧状に湾曲したガイド溝と、ビレットと内部アクチュエータを連結する連結部材とを有しており、駆動ワイヤの伸縮動作をビレット及び連結部材を介して内部アクチュエータに伝達するようにしたので、実施の形態１の効果に加え、側面に駆動ワイヤのワイヤ取付台部を必要としないため、小形化が図られ、更に使用する部品数も少なくなるため、コストの削減を図ることができる。
【符号の説明】
【００３３】
１  回路遮断器                        ２  下カバー
３  上カバー                          ４  ベース
５  操作ハンドル                      ６  トリップバー
７，３１  ワイヤ式引外し装置          ８，３２  本体組込み部
９，３３  駆動ワイヤ                １０  ワイヤ取付台部
１１  ケース                          １１ａ  スナップフィット部
１２  カバー                          １３  内部アクチュエータ
１４  引外しレバー                    １５  固定枠
１６  支持板                          １６ａ  保持部
１６ｂ  腕部                          １７  軸ピン
１８  コイルばね                      １９  取付台ベース
１９ａ  固定部                        １９ｂ  Ｕ字溝
２０  取付台アクチュエータ            ２１  回動板
２２  回動軸                          ２３  支柱
２４，３７  ばね                      ２５  止金
２６  支柱受                          ２７  カバー
２８  操作部                          ２９  スイッチ
３４  案内部材                        ３４ａ  案内溝
３５  ビレット                        ３６  連結部材。
【図１】
2013140743.tif 000003
【図２】
2013140743.tif 000004
【図３】
2013140743.tif 000005
【図４】
2013140743.tif 000006
【図５】
2013140743.tif 000007
【図６】
2013140743.tif 000008
【図７】
2013140743.tif 000009
【図８】
2013140743.tif 000010
【図９】
2013140743.tif 000011
【図１０】
2013140743.tif 000012
【図１１】
2013140743.tif 000013